(57)【特許請求の範囲】
【請求項１】
割付画像をページに割り付けるレイアウト画像を作成する画像処理装置であって、
少なくとも、予め用意されたテンプレートに前記割付画像を割り付けてレイアウト画像を作成するモード、および、前記ページへの割り付けの設定の入力を受け付けて前記設定に基づいて前記割付画像を割り付けてレイアウト画像を作成するモードのいずれかによりレイアウト画像を作成するレイアウト作成部と、
前記レイアウト作成部により作成された前記レイアウト画像のサムネイル画像をサムネイル領域に表示するサムネイル画像表示部と
を備え、
前記サムネイル画像表示部は、前記サムネイル画像の元である前記レイアウト画像が作成された前記モードを視覚的に識別できるモード識別情報を、前記サムネイル画像に対応付けて表示する画像処理装置。
【請求項２】
前記レイアウト作成部は、さらに、前記ページに割り付ける画像数の入力を受け付けて前記画像数に基づいて前記画像を割り付けてレイアウト画像を作成するモードをさらに有し、
前記サムネイル画像表示部は、これら三つのモードのそれぞれに対応して互いに異なる三つのモード識別情報を表示する請求項１に記載の画像処理装置。
【請求項３】
前記レイアウト画像をプレビュー領域に表示するプレビュー表示部をさらに備え、
前記プレビュー表示部は、前記レイアウト画像が作成された前記モードを視覚的に識別できるモード識別情報を、前記レイアウト画像に対応付けて表示する請求項１または２に記載の画像処理装置。
【請求項４】
前記サムネイル画像表示部および前記プレビュー表示部は、同じモードを示す前記モード識別情報として同じ色柄を表示する請求項３に記載の画像処理装置。
【請求項５】
前記サムネイル画像表示部は、前記サムネイル画像の元である前記レイアウト画像に前記割付画像が割り付けられているか否かを視覚的に識別できる割付識別情報を、前記サムネイル画像に対応付けて表示する請求項１または２に記載の画像処理装置。
【請求項６】
前記サムネイル画像表示部は、前記サムネイル画像の元である前記レイアウト画像に前記割付画像が割り付けられている場合に、前記レイアウト作成部によって前記サムネイル画像の元である前記レイアウト画像に割り付けることができる前記割付画像の最大数の前記割付画像が割り付けられたか否かを視覚的に識別できる前記割付識別情報を表示する請求項５に記載の画像処理装置。
【請求項７】
前記サムネイル画像表示部は、前記サムネイル画像の元である前記レイアウト画像に割り付けることができる前記割付画像の最大数および前記レイアウト作成部により割り付けられた前記割付画像の数である割付画像数、または、前記最大数から前記割付画像数を減じた数である残数を前記サムネイル画像に対応付けて表示する請求項１または２に記載の画像処理装置。
【請求項８】
画像をページに割り付けるレイアウト画像を作成する画像処理方法であって、
少なくとも、予め用意されたテンプレートに前記画像を割り付けてレイアウト画像を作成するモード、および、前記ページへの割り付けをユーザの入力により設定して前記画像を割り付けてレイアウト画像を作成するモードで前記レイアウト画像を作成する手順と、
前記レイアウト画像のサムネイル画像をサムネイル領域に表示する手順と、
前記サムネイル画像の元である前記レイアウト画像が作成された前記モードを視覚的に識別できるモード識別情報を、前記サムネイル画像に対応付けて表示する手順と
を備える画像処理方法。
【請求項９】
画像をページに割り付けるレイアウト画像を作成する画像処理装置を制御するプログラムであって、前記画像処理装置に、
少なくとも、予め用意されたテンプレートに前記画像を割り付けてレイアウト画像を作成するモード、および、前記ページへの割り付けをユーザの入力により設定して前記画像を割り付けてレイアウト画像を作成するモードで前記レイアウト画像を作成する手順、
前記レイアウト画像のサムネイル画像をサムネイル領域に表示する手順、および、
前記サムネイル画像の元である前記レイアウト画像が作成された前記モードを視覚的に識別できるモード識別情報を、前記サムネイル画像に対応付けて表示する手順
を実行させるプログラム。
【発明の詳細な説明】
【技術分野】
【０００１】
本発明は、画像処理装置、画像処理方法、および、プログラムに関する。特に、本発明は、割付画像をページに割り付けるレイアウト画像を作成する画像処理装置、画像処理方法、および、プログラムに関する。
【背景技術】
【０００２】
ユーザにとって重要な情報を強調して表示するユーザインターフェイスが知られている（例えば、特許文献１参照。）。このユーザインターフェイスによれば、設定変更に伴う重要な情報に対するユーザの認識度は向上する。
【特許文献１】特開２００４−０３１６５号公報
【発明の開示】
【発明が解決しようとする課題】
【０００３】
しかしながら、このユーザインターフェイスをレイアウト画像を作成する画像処理装置のユーザインターフェイスとして採用した場合には、編集により既に作成してあるレイアウト画像に対して、適用できる編集の種類をユーザに認識させることができないという不具合がある。
【課題を解決するための手段】
【０００４】
上記課題を解決するために、本発明の第１の形態においては、割付画像をページに割り付けるレイアウト画像を作成する画像処理装置であって、少なくとも、予め用意されたテンプレートに割付画像を割り付けてレイアウト画像を作成するモード、および、ページへの割り付けの設定の入力を受け付けて設定に基づいて割付画像を割り付けてレイアウト画像を作成するモードのいずれかによりレイアウト画像を作成するレイアウト作成部と、レイアウト作成部により作成されたレイアウト画像のサムネイル画像をサムネイル領域に表示するサムネイル画像表示部とを備え、サムネイル画像表示部は、サムネイル画像の元であるレイアウト画像が作成されたモードを視覚的に識別できるモード識別情報を、サムネイル画像に対応付けて表示する。これにより、いずれのモードでレイアウト画像を作成したかを、サムネイル画像で確認することができる。よって、レイアウト画像に対して適用できる編集の種類がモード毎に異なる場合に、サムネイル領域に表示されている各レイアウト画像に対して適用できる編集の種類をユーザに認識させることができる。
【０００５】
レイアウト作成部は、さらに、ページに割り付ける画像数の入力を受け付けて画像数に基づいて画像を割り付けてレイアウト画像を作成するモードをさらに有し、サムネイル画像表示部は、これら三つのモードのそれぞれに対応して互いに異なる三つのモード識別情報を表示してもよい。これにより、モードが３つある場合でも、いずれのモードでレイアウト画像を作成したかを、サムネイル画像で確認することができる。
【０００６】
レイアウト画像をプレビュー領域に表示するプレビュー表示部をさらに備え、プレビュー表示部は、レイアウト画像が作成されたモードを視覚的に識別できるモード識別情報を、レイアウト画像に対応付けて表示してもよい。これにより、いずれのモードでレイアウト画像を作成したかを、プレビュー領域の表示で確認することができる。
【０００７】
サムネイル画像表示部およびプレビュー表示部は、同じモードを示すモード識別情報として同じ色柄を表示してもよい。これにより、いずれのモードでレイアウト画像を作成したかを、一見して確認することができる。
【０００８】
サムネイル画像表示部は、サムネイル画像の元であるレイアウト画像に割付画像が割り付けられているか否かを視覚的に識別できる割付識別情報を、サムネイル画像に対応付けて表示してもよい。これにより、サムネイル領域に表示されたサムネイル画像の元であるレイアウト画像に割付画像が割り付けられているか否かを一見して確認することができる。
【０００９】
サムネイル画像表示部は、サムネイル画像の元であるレイアウト画像に割付画像が割り付けられている場合に、レイアウト作成部によってサムネイル画像の元であるレイアウト画像に割り付けることができる割付画像の最大数の割付画像が割り付けられたか否かを視覚的に識別できる割付識別情報を表示してもよい。これにより、サムネイル領域に表示されたサムネイル画像の元であるレイアウト画像に割付画像を追加することができるか否かを一見して確認することができる。
【００１０】
サムネイル画像表示部は、サムネイル画像の元であるレイアウト画像に割り付けることができる割付画像の最大数およびレイアウト作成部により割り付けられた割付画像の数である割付画像数、または、最大数から割付画像数を減じた数である残数をサムネイル画像に対応付けて表示してもよい。これにより、サムネイル領域に表示されたサムネイル画像の元であるレイアウト画像に追加できる割付画像の数を一見して確認することができる。
【００１１】
上記課題を解決するために、本発明の第２の形態においては、画像をページに割り付けるレイアウト画像を作成する画像処理方法であって、少なくとも、予め用意されたテンプレートに画像を割り付けてレイアウト画像を作成するモード、および、ページへの割り付けをユーザの入力により設定して画像を割り付けてレイアウト画像を作成するモードでレイアウト画像を作成する手順と、レイアウト画像のサムネイル画像をサムネイル領域に表示する手順と、サムネイル画像の元であるレイアウト画像が作成されたモードを視覚的に識別できるモード識別情報を、サムネイル画像に対応付けて表示する手順とを備える。これにより、第１の形態と同様の効果をえることができる。
【００１２】
上記課題を解決するために、本発明の第３の形態においては、画像をページに割り付けるレイアウト画像を作成する画像処理装置を制御するプログラムであって、画像処理装置に、少なくとも、予め用意されたテンプレートに画像を割り付けてレイアウト画像を作成するモード、および、ページへの割り付けをユーザの入力により設定して画像を割り付けてレイアウト画像を作成するモードでレイアウト画像を作成する手順、レイアウト画像のサムネイル画像をサムネイル領域に表示する手順、および、サムネイル画像の元であるレイアウト画像が作成されたモードを視覚的に識別できるモード識別情報を、サムネイル画像に対応付けて表示する手順を実行させる。これにより、第１の形態と同様の効果をえることができる。
【００１３】
なお、上記の発明の概要は、本発明の必要な特徴の全てを列挙したものではなく、これらの特徴群のサブコンビネーションもまた、発明となりうる。
【発明を実施するための最良の形態】
【００１４】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００１５】
図１は、画像処理装置１０の一例を示す。画像処理装置１０は、画像処理装置１０を制御するプログラムを実行する本体１２を備える。画像処理装置１０は、表示画面を有しユーザに対して本体１２からの出力に基づく表示をするディスプレイ１４と、本体１２からの出力に基づく印刷をするプリンタ２４と、ユーザから本体１２に対する入力手段の一例としてのキーボード１６、および、マウス１８とを備えていることが好ましい。デジタルカメラ２０、および、スキャナ２２は、画像情報を読み込む手段の一例として、本体１２と接続される。
【００１６】
本体１２はハードディスク及びメモリ（ＲＡＭ）を備え、例えば、デジタルカメラ２０又はスキャナ２２から読み込まれた画像情報をハードディスク等に格納する。
【００１７】
図２は、本体１２のブロック図の一例を示す。図３、図４、および、図５は、ディスプレイ１４の表示の一例を模式的に示す。図６は、格納部８０に格納される情報を示す。図２に示すように、本体１２は、レイアウト作成部５０、および、サムネイル画像表示部７０を備える。レイアウト作成部５０は、画像処理装置１０を制御するプログラムが起動された場合に、図３等に示す処理画面１００をディスプレイ１４に表示する。処理画面１００は、割付画像を表示する割付画像表示領域１０２、割付画像をページ（以下、「レイアウト枠」という。）に割り付けたレイアウト画像２２０、３２０、４２０を表示するプレビュー領域２００、３００、４００を有する。
【００１８】
レイアウト作成部５０は、レイアウト画像２２０、３２０、４２０の作成について、テンプレートモード、マトリックスモードおよびフリーモードの三つのモードを有する。テンプレートモードにおいて、レイアウト作成部５０は、予め用意されたテンプレートに割付画像を割り付けてレイアウト画像２２０を作成する。マトリックスモードにおいて、レイアウト作成部５０は、レイアウト枠に割り付ける画像数の入力を受け付けて、その画像数に基づいて画像を割り付けてレイアウト画像３２０を作成する。フリーモードにおいて、レイアウト作成部５０は、レイアウト枠への割り付けの設定の入力を受け付けて、その設定に基づいて割付画像を割り付けてレイアウト画像４２０を作成する。また、レイアウト作成部５０は、各モードにより作成したレイアウト画像２２０、３２０、４２０を、それぞれのモードにおいて変更する。例えば、レイアウト作成部５０は、レイアウト画像２２０、４２０において、レイアウト枠に割り付ける割付画像を変更し、レイアウト枠内の割付画像の割り付け位置を変更する。レイアウト作成部５０は、レイアウト画像３２０において、レイアウト枠に割り付ける割付画像を変更する。また、レイアウト作成部５０は、レイアウト画像２２０、３２０、４２０に加えて、レイアウト画像２２０のサムネイル画像２５０、レイアウト画像４２０のサムネイル画像４５０、および、レイアウト画像３２０のサムネイル画像３５０を作成する。
【００１９】
レイアウト作成部５０は、処理画面１００にプレビュー領域２００、３００、または、４００を表示する。レイアウト作成部５０は、プレビュー領域２００に、テンプレートモードを指定してレイアウト画像２２０を作成する旨のユーザからの指示を受け付けるタブ２２２を表示する。同様に、レイアウト作成部５０は、プレビュー領域３００、４００に、マトリックスモードおよびフリーモードのそれぞれを指定してレイアウト画像３２０、４２０を作成する旨のユーザからの指示を受け付けるタブ３２２、４２２を表示する。例えば、レイアウト作成部５０は、キーボード１６、または、マウス１８によりタブ２２２が選択された旨の通知を受け付けたときは、処理画面１００にプレビュー領域２００を表示する。
【００２０】
サムネイル画像表示部７０は、図３に示すように、テンプレートモードによって作成されたレイアウト画像２２０のサムネイル画像２５０をサムネイル領域１０４に表示する。また、サムネイル画像表示部７０は、図４に示すように、フリーモードによって作成されたレイアウト画像４２０のサムネイル画像４５０をサムネイル領域１０４に表示する。また、サムネイル画像表示部７０は、図５に示すように、マトリックスモードによって作成されたレイアウト画像３２０のサムネイル画像３５０をサムネイル領域１０４に表示する。
【００２１】
サムネイル画像表示部７０は、サムネイル画像２５０の元であるレイアウト画像２２０が作成されたモード（テンプレートモード）を視覚的に識別できるモード識別情報２５４を、サムネイル画像２５０に対応付けて表示する。サムネイル画像表示部７０は、また、サムネイル画像３５０の元であるレイアウト画像３２０が作成されたモード（レイアウトモード）を視覚的に識別できるモード識別情報４５４を、サムネイル画像４５０に対応付けて表示する。サムネイル画像表示部７０は、また、サムネイル画像４５０の元であるレイアウト画像４２０が作成されたモード（フリーモード）を視覚的に識別できるモード識別情報４５４を、サムネイル画像４５０に対応付けて表示する。
【００２２】
サムネイル画像表示部７０は、サムネイル画像２５０に対応付けて表示するモード識別情報２５４と、サムネイル画像３５０に対応付けて表示するモード識別情報３５４と、サムネイル画像４５０に対応付けて表示するモード識別情報４５４とを、それぞれ、異なる色柄で表示する。サムネイル画像表示部７０は、例えば、モード識別情報２５４として「テンプレート」の文字を表示し、モード識別情報３５４として「マトリックス」の文字を表示し、モード識別情報４５４として「フリー」の文字を表示する。これにより、いずれのモードでレイアウト画像２２０、３２０を作成したかを、サムネイル画像２５０、３５０で確認することができる。よって、レイアウト画像２２０、３２０に対して適用できる編集の種類がモード毎に異なる場合に、サムネイル領域１０４に表示されている各レイアウト画像２２０、３２０に対して適用できる編集の種類をユーザに認識させることができる。なお上記文字に代えて、または、加えて、サムネイル画像表示部７０は、プレビュー領域２００、３００、４００に表示されたモード識別情報２２４、３２４、４２４に対応するモード識別情報２５４、３５４、４５４を、下記の通りに表示してもよい。
【００２３】
本体１２は、レイアウト画像２２０、３２０、４２０のそれぞれをプレビュー領域２００、３００、４００に表示するプレビュー表示部６０を備える。プレビュー表示部６０は、レイアウト画像２２０が作成されたテンプレートモードを視覚的に識別できるモード識別情報２２４をレイアウト画像２２０に対応付けて表示する。プレビュー表示部６０は、また、レイアウト画像３２０が作成されたマトリックスモードを視覚的に識別できるモード識別情報３２４をレイアウト画像３２０に対応付けて表示する。さらに、プレビュー表示部６０は、レイアウト画像４２０が作成されたフリーモードを視覚的に識別できるモード識別情報４２４をレイアウト画像４２０に対応付けて表示する。
【００２４】
具体的には、プレビュー表示部６０は、３つのタブ２２２、３２２、４２２に、３つのモードのそれぞれに対応した、互いに異なる３つのモード識別情報２２４、３２４、４２４を表示する。プレビュー表示部６０は、例えば、モード識別情報２２４を赤（図３等において横線の縞模様で示す）、モード識別情報３２４を黄（図３等において縦線の縞模様で示す）、モード識別情報４２４を緑（図３等において斜線の縞模様で示す）で表示する。これにより、いずれのモードでレイアウト画像２２０、３２０、４２０を作成したかを、プレビュー領域２００、３００、４００の表示で確認することができる。
【００２５】
プレビュー表示部６０は、また、モード識別情報２２４、３２４、４２４に加えて、当該モードがユーザにより選択されている旨を示す印を、タブ２２２、３２２、４２２に、表示することができる。例えば、図３に示すタブ２２２に表示された二重線はこの印の一例を示す。
【００２６】
プレビュー表示部６０は、さらに、当該モードがユーザにより選択されている旨を示す印に加えて、当該モードがユーザにより選択されている場合に、モード識別情報２２４、３２４、または、４２４を強調して表示することができる。例えば、図３において、プレビュー表示部６０は、モード識別情報２２４の彩度を、モード識別情報３２４、４２４より高くして表示することができる。これにより、いずれのモードでレイアウト画像４２０を作成したかを、プレビュー領域４００の表示でより確認しやすくなる。
【００２７】
プレビュー表示部６０は、彩度にかえて、または、加えて、明度、または、輝度の変化によって、モード識別情報２２４、３２４、４２４を強調して表示してもよい。
【００２８】
サムネイル画像表示部７０、および、プレビュー表示部６０は、同じモードを示すモード識別情報として同じ色柄を表示する。具体的には、プレビュー表示部６０は、モード識別情報２２４をサムネイル画像表示部７０が表示するモード識別情報２５４と同一の色柄で表示する。同様に、プレビュー表示部６０は、モード識別情報３２４をサムネイル画像表示部７０が表示するモード識別情報３５４と同一の色柄で表示する。さらにプレビュー表示部６０は、モード識別情報４２４をサムネイル画像表示部７０が表示するモード識別情報４５４と、それぞれ同一の色柄で表示する。これにより、いずれのモードでレイアウト画像２２０、３２０、４２０を作成したかを、一見して確認することができる。
【００２９】
プレビュー表示部６０がモード識別情報２２４、モード識別情報３２４、または、モード識別情報４２４を強調して表示している場合には、サムネイル画像表示部７０は、対応するモード識別情報２５４、モード識別情報３５４、または、モード識別情報４５４を、同様に、強調して表示することができる。
【００３０】
サムネイル画像表示部７０は、モード識別情報２５４、３５４、４５４に加えて、サムネイル画像２５０、３５０、４５０の元であるレイアウト画像２２０、３２０、４２０が作成されたモードを視覚的に識別できる枠２５６、３５６、４５６を、サムネイル画像２５０、３５０、４５０に対応付けて表示することができる。
【００３１】
サムネイル画像表示部７０は、枠２５６、３５６、４５６を表示する場合には、サムネイル画像２５０に対応付けて表示する枠２５６と、サムネイル画像３５０に対応付けて表示する枠３５６と、サムネイル画像４５０に対応付けて表示する枠４５６とを、それぞれ異なる色柄で表示する。サムネイル画像表示部７０は、枠２５６と、枠３５６と、枠４５６とを、それぞれ異なる色柄で表示する場合には、枠２５６をモード識別情報２５４と、枠３５６をモード識別情報３５４と、枠４５６をモード識別情報４５４と、それぞれ同一の色柄で表示する。
【００３２】
また、サムネイル画像表示部７０は、枠２５６に対応するサムネイル画像２５０の元であるレイアウト画像２２０がプレビュー領域２００に表示されていない場合には、枠２５６を表示しなくてもよい。同様に、サムネイル画像表示部７０は、枠３５６に対応するサムネイル画像３５０の元であるレイアウト画像３２０がプレビュー領域３００に表示されていない場合には、枠３５６を表示しなくてもよい。サムネイル画像表示部７０は、枠４５６に対応するサムネイル画像４５０の元であるレイアウト画像４２０がプレビュー領域４００に表示されていない場合には、枠４５６を表示しなくてもよい。
【００３３】
サムネイル画像表示部７０は、３つのモードのそれぞれに対応して互いに異なる３つのモード識別情報２５４、３５４、４５４を、サムネイル画像２５０、３５０、４５０に対応付けて表示する。これにより、モードが３つある場合でも、いずれのモードでレイアウト画像２２０、３２０、４２０を作成したかを、サムネイル画像２５０、３５０、４５０で確認することができる。
【００３４】
なお、サムネイル画像表示部７０は、図５に示すように、サムネイル領域１０４に、複数のサムネイル画像２５０、３５０を表示することができる。
【００３５】
本体１２は、さらに、割付画像、テンプレート、および、レイアウト画像２２０等を格納する格納部８０を備える。具体的には、格納部８０は、図６（ａ）に示すように、画像を識別する識別情報（以下。「画像ＩＤ」という。）に対応付けて割付画像を格納する。格納部８０は、また、図６（ｂ）に示すように、テンプレートを識別する識別情報（テンプレートＩＤ）に対応付けてテンプレートを格納する。格納部８０は、さらに、図６（ｃ）に示すように、レイアウト画像２２０等を識別する識別情報（以下、「レイアウトＩＤ」という。）に対応付けてレイアウト画像２２０等、および、作成モード情報を格納する。
【００３６】
記憶媒体３０は、レイアウト作成部５０、プレビュー表示部６０、および、サムネイル画像表示部７０の動作を行わせるプログラムを格納する。本体１２は記憶媒体３０に格納された上記プログラムをインストールすることにより、レイアウト作成部５０等の動作を行わせてもよい。さらに、他の方法として、本体１２は、そのようなプログラムを、通信回線を介して取得してもよい。
【００３７】
レイアウト作成部５０は、また、レイアウト画像２２０、３２０、または、４２０を作成すべき旨のユーザからの指示を受け付ける作成ボタン、および、処理を終了する旨の指示をユーザから受け付ける終了ボタンを処理画面１００に表示する。
【００３８】
レイアウト作成部５０は、さらに、作成すべきレイアウト画像２２０、３２０、４２０の設定内容をユーザから受け付ける入力エリアをプレビュー領域２００、プレビュー領域３００、プレビュー領域４００に表示する。例えば、レイアウト作成部５０は、プレビュー領域２００に、少なくとも、レイアウト画像２２０のサイズをユーザに選択させる「エリアサイズ」プルダウンメニュー２０２、テンプレートをユーザに選択させる「テンプレート」プルダウンメニュー２０４を表示する。
【００３９】
レイアウト作成部５０は、プレビュー領域３００に、少なくとも、レイアウト画像３２０のサイズをユーザに選択させる「エリアサイズ」プルダウンメニュー３０２、割り付ける画像数の入力を受け付ける「フレーム数」入力エリア３０６を表示する。レイアウト作成部５０は、プレビュー領域４００に、少なくとも、レイアウト画像４２０のサイズをユーザに選択させる「エリアサイズ」プルダウンメニュー４０２、フレームサイズの入力を受け付ける「フレームサイズ」入力エリア４０８を表示する。
【００４０】
図７は、画像処理装置１０の動作の一例をフローチャートで示す。図８、および、図９は、ディスプレイ１４の表示の一例を模式的に示す。本フローチャートは、レイアウト作成部５０が図５に示すプレビュー領域３００を表示している場合において、レイアウト作成部５０がタブ４２２を選択する旨の指示を受け付けたことにより開始する。また、図５に示すように、本フローチャートの開始時点において、サムネイル画像２５０、３５０が、サムネイル領域１０４に表示されているものとする。なお、図８は、ステップＳ１０６を実行した後の、図９は、ステップＳ１１０を実行した後のディスプレイ１４に表示された処理画面１００を示す。
【００４１】
プレビュー表示部６０は、レイアウト枠を表示する（Ｓ１００）。より詳しくは、レイアウト作成部５０は、処理画面１００の作成ボタンが選択された旨の情報を受け付ける。レイアウト作成部５０は、現在、選択されているタブ４２２のモードに基づいてレイアウト枠を作成する。レイアウト作成部５０は、作成したレイアウト枠をプレビュー表示部６０に供給する。プレビュー表示部６０は、供給されたレイアウト枠をプレビュー領域４００に表示する。これにより、いずれのモードでレイアウト画像４２０を作成したかを、プレビュー領域４００の表示で確認することができる。
【００４２】
また、プレビュー表示部６０は、レイアウト枠の表示に加えて、モード識別情報４２４を強調して表示する。具体的には、プレビュー表示部６０は、モード識別情報４２４の色柄（例えば、緑）の彩度をあげて表示する。これにより、いずれのモードでレイアウト画像４２０を作成したかを、プレビュー領域４００の表示でより確認しやすくなる。
【００４３】
さらに、レイアウト作成部５０は、「エリアサイズ」プルダウンメニュー４０２等を介して、レイアウト画像４２０の設定内容をユーザから受け付ける。レイアウト作成部５０は、受け付けた設定内容に基づいてレイアウト枠を再作成する。レイアウト作成部５０は、再作成したレイアウト枠をプレビュー表示部６０に供給する。プレビュー表示部６０は、供給されたレイアウト枠をプレビュー領域４００に再表示する。
【００４４】
レイアウト作成部５０は、レイアウト枠に割り付ける割付画像を受け付ける（Ｓ１０２）。より詳しくは、レイアウト作成部５０は、割付画像表示領域１０２からレイアウト枠への割付画像のドラッグアンドドロップにより、レイアウト枠に割り付ける割付画像を受け付ける。例えば、レイアウト作成部５０は、レイアウト枠に割り付ける割付画像の画像ＩＤを受け付ける。なお、所定の時間、レイアウト作成部５０が割付画像を受け付けなかったときは、次ステップへ進んでもよい。
【００４５】
プレビュー表示部６０は、レイアウト画像４２０をプレビュー領域４００に表示する（Ｓ１０４）。より詳しくは、ステップＳ１０２において、レイアウト枠に割り付ける画像ＩＤを取得したレイアウト作成部５０は、その画像ＩＤに基づいて格納部８０から割付画像を取得する。レイアウト作成部５０は、ステップＳ１００において作成したレイアウト枠と、取得した割付画像とから、レイアウト画像４２０を作成する。レイアウト作成部５０は、作成したレイアウト画像４２０をプレビュー表示部６０へ供給する。プレビュー表示部６０は、供給されたレイアウト画像４２０をプレビュー領域４００に表示する。
【００４６】
なお、レイアウト作成部５０は、プレビュー表示部６０に加え、格納部８０にも、レイアウト画像４２０を供給する。格納部８０は、新たに採番するレイアウトＩＤに対応付けて供給されたレイアウト画像４２０を格納する。格納部８０は、レイアウト画像４２０に対して採番したレイアウトＩＤをレイアウト作成部５０に通知する。
【００４７】
サムネイル画像表示部７０は、サムネイル画像４５０をサムネイル領域１０４に表示する（Ｓ１０６）。より詳しくは、レイアウト作成部５０は、ステップＳ１０４において作成したレイアウト画像４２０から、レイアウト画像４２０のサムネイル画像４５０を作成する。
【００４８】
レイアウト作成部５０は、作成したサムネイル画像４５０を、格納部８０から通知されたレイアウト画像４２０のレイアウトＩＤとともに、サムネイル画像表示部７０へ供給する。サムネイル画像表示部７０は、図８に示すように、供給されたサムネイル画像４５０をサムネイル領域１０４に表示する。なお、サムネイル画像表示部７０は、表示しているサムネイル画像４５０に対応付けて、サムネイル画像４５０の元であるレイアウト画像４２０のレイアウトＩＤを記憶する。
【００４９】
また、サムネイル画像表示部７０は、サムネイル画像４５０に加えて、サムネイル画像４５０に対応付けてモード識別情報４５４を、モード識別情報４２４と同一の色柄（例えば、緑）で表示する。これにより、いずれのモードでレイアウト画像４２０を作成したかを、サムネイル画像４５０で一見して確認することができる。よって、レイアウト画像４２０に対して適用できる編集の種類をユーザに認識させることができる。
【００５０】
さらに、サムネイル画像表示部７０は、図５に示す枠３５６にかえて、図８に示す枠４５６をサムネイル画像４５０に対応付けて表示する。サムネイル画像表示部７０は、枠４５６を、モード識別情報４２４、および、モード識別情報４５４と同一の色柄（例えば、緑）で表示する。
【００５１】
サムネイル画像表示部７０は、サムネイル画像２５０、または、３５０の選択を受け付けたか否か判断する（Ｓ１０８）。より詳しくは、サムネイル画像表示部７０は、マウス１８等を介して、サムネイル画像２５０、または、サムネイル画像３５０を選択する旨のユーザの指示を受け付けた場合に、サムネイル画像表示部７０は、サムネイル画像２５０、または、サムネイル画像３５０の選択を受け付けたと判断する。
【００５２】
サムネイル画像表示部７０は、サムネイル画像２５０、または、サムネイル画像３５０を選択する旨のユーザの指示を受け付ける場合において、図８に示すように、サムネイル画像２５０に対応付けられたモード識別情報２５４をモード識別情報２２４と同一の色柄（例えば、赤）で表示し、サムネイル画像３５０に対応付けられたモード識別情報３５４をモード識別情報３２４と同一の色柄（例えば、黄）で表示しているので、選択しようとするサムネイル画像２５０の元であるレイアウト画像２２０、および、サムネイル画像３５０の元であるレイアウト画像３２０に対して適用できる編集の種類を、サムネイル画像２５０、サムネイル画像３５０を選択する前に、ユーザに認識させることができる。
【００５３】
ステップＳ１０８において、サムネイル画像表示部７０は、サムネイル画像２５０、または、サムネイル画像３５０の選択を受け付けたと判断した場合（Ｓ１０８：Ｙｅｓ）、プレビュー表示部６０は、レイアウト画像４２０から、レイアウト画像２２０、または、レイアウト画像３２０に表示を切り替える（Ｓ１１０）。
【００５４】
より詳しくは、サムネイル画像表示部７０は、例えば、ステップＳ１０８において、サムネイル画像２５０の選択を受け付けたと判断した場合、サムネイル画像表示部７０は、そのサムネイル画像２５０に対応付けて記憶していたレイアウトＩＤを特定する。サムネイル画像表示部７０は、そのレイアウトＩＤをレイアウト作成部５０に通知する。通知を受けたレイアウト作成部５０は、そのレイアウトＩＤに対応付けられたレイアウト画像２２０、および、作成モード情報を格納部８０から取得する。レイアウト作成部５０は、取得したレイアウト画像２２０、および、作成モード情報をプレビュー表示部６０に供給する。プレビュー表示部６０は、図９に示すように、供給されたレイアウト画像２２０を表示する。
【００５５】
また、図９に示すように、レイアウト作成部５０は、取得した作成モード情報に基づいてタブ４２２をタブ２２２に切り替える。
【００５６】
プレビュー表示部６０は、作成モード情報に基づいてモード識別情報２２４を表示する。これにより、いずれのモードでレイアウト画像２２０を作成したかを、プレビュー領域２００の表示で確認することができる。
【００５７】
また、プレビュー表示部６０は、モード識別情報２２４を強調して表示する。具体的には、プレビュー表示部６０は、モード識別情報２２４の色柄（例えば、赤）の彩度をあげて表示する。これにより、いずれのモードでレイアウト画像４２０を作成したかを、プレビュー領域４００の表示でより確認しやすくなる。
【００５８】
また、サムネイル画像表示部７０は、選択されたサムネイル画像２５０に対応付けられている枠２５６を、モード識別情報２５４と同一の色柄（例えば、赤）で表示する。これにより、いずれのモードでレイアウト画像４２０を作成したかを、サムネイル画像４５０で一見して確認することができる。よって、レイアウト画像４２０に対して適用できる編集の種類をユーザに認識させることができる。
【００５９】
一方、ステップＳ１０８において、サムネイル画像表示部７０は、サムネイル画像２５０、または、サムネイル画像３５０の選択を受け付けていないと判断した場合（Ｓ１０８：Ｎｏ）、ステップＳ１１０を飛ばしてステップＳ１１２を実行する。
【００６０】
レイアウト作成部５０は、新たなレイアウト画像２２０、３２０、または、４２０を作成する旨の指示を受け付けたか否か判断する（Ｓ１１２）。より詳しくは、レイアウト作成部５０は、処理画面１００の作成ボタンが選択された旨の情報を受け付けた場合に、レイアウト作成部５０は、新たなレイアウト画像２２０、３２０、または、４２０を作成する旨の指示を受け付けたと判断する。
【００６１】
ステップＳ１１２において、レイアウト作成部５０は、新たなレイアウト画像２２０、３２０、または、４２０を作成する旨の指示を受け付けたと判断した場合（Ｓ１１２：Ｙｅｓ）、ステップＳ１００に戻る。
【００６２】
一方、ステップＳ１１２において、レイアウト作成部５０は、新たなレイアウト画像２２０、３２０、または、４２０を作成する旨の指示を受け付けていない判断した場合（Ｓ１１２：Ｎｏ）、レイアウト作成部５０は、レイアウト処理の終了を受け付けたか否か判断する（Ｓ１１４）。より詳しくは、レイアウト作成部５０は、終了ボタンが選択された旨の情報を受け付けた場合に、レイアウト作成部５０は、処理の終了を受け付けたと判断する。
【００６３】
ステップＳ１１４において、レイアウト作成部５０は、処理の終了を受け付けたと判断した場合（Ｓ１１４：Ｙｅｓ）、本フローチャートは終了する。一方、ステップＳ１１４において、レイアウト作成部５０は、処理の終了を受け付けていないと判断した場合（Ｓ１１４：Ｎｏ）、ステップＳ１０２に戻る。
【００６４】
なお、上記実施形態において、モード識別情報２５４、３５４、４５４は文字または色であり、モード識別情報２２４、３２４、４２４は色であったが、これらに限られない。モード識別情報２５４、３５４、４５４は、斜線等の柄であってもよいし、モード識別情報２２４、３２４、４２４は斜線等の柄であってもよいし、文字であってもよい。
【００６５】
図１０および図１１は、ディスプレイ１４の表示の一例を模式的に示す。なお、図１１は図１０のサムネイル領域１０４を拡大した拡大図である。サムネイル領域１０４に表示されるサムネイル画像２５０、３５０、４５０は小さいので、ユーザは、そのサムネイル画像２５０、３５０、４５０の元であるレイアウト画像２２０、３２０、４２０に割付画像が割り付けられているか否かを、視覚的に判断することができない場合がある。
【００６６】
そこでサムネイル画像表示部７０は、図１から図９に示す形態に加えてさらに、サムネイル画像２５０、３５０、４５０の元であるレイアウト画像２２０、３２０、４２０に割付画像が割り付けられているか否かを視覚的に識別できる割付識別情報２５８、３５８、４５８を、サムネイル画像２５０、３５０、４５０に対応付けて表示する。この割付識別情報２５８、３５８、４５８は、サムネイル画像２５０、３５０、４５０に割り付けられる画像の枠よりも大きいことが好ましく、例えば、サムネイル画像２５０、３５０、４５０の外枠として表示される。さらに、サムネイル画像表示部７０は、サムネイル画像２５０、３５０、４５０の元であるレイアウト画像２２０、３２０、４２０に割付画像が割り付けられている場合に、レイアウト作成部５０によってサムネイル画像２５０、３５０、４５０の元であるレイアウト画像２２０、３２０、４２０に割り付けることができる割付画像の最大数の割付画像が割り付けられたか否かを視覚的に識別できる割付識別情報２５８、３５８、４５８を表示する。
【００６７】
具体的には、レイアウト作成部５０は、レイアウト枠と割付画像とからレイアウト画像２２０、３２０、４２０を作成した場合、または、レイアウト画像２２０、３２０、４２０を変更した場合に、レイアウト枠に割り付けることができる割付画像の最大数、および、割り付けた割付画像の数である割付画像数を当該レイアウト画像２２０、３２０、４２０に対応付けて記憶する。レイアウト作成部５０は、レイアウト画像２２０、３２０、４２０からサムネイル画像２５０、３５０、４５０を作成するとともに、当該レイアウト画像２２０、３２０、４２０に対応付けて記憶している最大数および割付画像数を参照する。
【００６８】
割付画像数が０（ゼロ）である場合、レイアウト作成部５０は、サムネイル画像２５０等およびレイアウトＩＤに加えて、当該レイアウト画像２２０等に割付画像が割り付けられていない旨を示す割付無情報をサムネイル画像表示部７０へ供給する。サムネイル画像表示部７０は、割付無情報を取得した場合には、割付画像が割り付けられていない旨を識別できる割付識別情報２５８、３５８、４５８を表示する。図１０および図１１に示す例において、サムネイル画像表示部７０は、割付画像が割り付けられていない旨を識別できる、例えば外枠が破線である割付識別情報３５８を、サムネイル画像３５０に対応付けて表示する。
【００６９】
一方、割付画像数が０（ゼロ）でなく、かつ、最大数と一致しない場合には、レイアウト作成部５０は、サムネイル画像２５０等に加えて、当該レイアウト画像２２０等に割り付け得る最大数に満たない数の割付画像が割り付けられている旨を示す一部割付有情報をサムネイル画像表示部７０へ供給する。サムネイル画像表示部７０は、一部割付有情報を取得した場合には、最大数に満たない数の割付画像が割り付けられている旨を識別できる割付識別情報２５８、３５８、４５８を表示する。図１０および図１１に示す例において、サムネイル画像表示部７０は、最大数に満たない数の割付画像が割り付けられている旨を識別できる、例えば外枠が細線である割付識別情報４５８を、サムネイル画像４５０に対応付けて表示する。
【００７０】
さらにまた、割付画像数が最大数と一致する場合には、レイアウト作成部５０は、サムネイル画像２５０等に加えて、当該レイアウト画像２２０等に割り付ける得る最大数の割付画像が割り付けられている旨を示す全部割付有情報をサムネイル画像表示部７０へ供給する。サムネイル画像表示部７０は、全部割付有情報を取得した場合には、最大数の割付画像が割り付けられた旨を識別できる割付識別情報２５８、３５８、４５８を表示する。図１０および図１１に示す例において、サムネイル画像表示部７０は、最大数の割付画像が割り付けられた旨を識別できる、例えば外枠が太線である割付識別情報２５８を、サムネイル画像２５０に対応付けて表示する。これにより、サムネイル領域１０４に表示されたサムネイル画像２５０等の元であるレイアウト画像２２０等に割付画像が割り付けられているか否かを一見して確認することができる。また、サムネイル領域１０４に表示されたサムネイル画像２５０等の元であるレイアウト画像２２０等に割付画像を追加することができるか否かを一見して確認することができる。
【００７１】
また、サムネイル画像表示部７０は、図１０および図１１に示すように、最大数の割付画像が割り付けられた旨を識別できる割付識別情報２５８を表示する場合に、モード識別情報２２４、２５４と同一の色柄で表示してもよい。同様に、サムネイル画像表示部７０は、最大数に満たない数の割付画像が割り付けられている旨を識別できる割付識別情報４５８を表示する場合に、モード識別情報４２４、４５４と同一の色柄で表示してもよい。
【００７２】
なお、サムネイル画像表示部７０は、レイアウト作成部５０から供給された全部割付有情報、一部割付有情報または割付無情報を供給されたサムネイル画像２５０等に対応付けて記憶する。よって、サムネイル画像表示部７０は、図１０および図１１に示すように、レイアウト画像３２０、４２０が表示されていない場合に、サムネイル画像３５０に対応付けて割付識別情報３５８を表示し、サムネイル画像４５０に対応付けて割付識別情報４５８を表示することができる。
【００７３】
なお、サムネイル画像表示部７０は、枠２５６、３５６、４５６とともに、割付識別情報２５８、３５８、４５８を表示してもよい。例えば、サムネイル画像表示部７０は、割付識別情報３５８を、枠３５６に重ねて表示してもよいし、枠３５６の内側または外側に表示してもよい。なお、図１０、図１１および後述する図１２において、枠２５６、３５６、４５６の記載を省略した。
【００７４】
図１２は、ディスプレイ１４の表示の他の一例を模式的に示す。なお、図１２は図１０のサムネイル領域１０４を拡大した拡大図である。サムネイル画像表示部７０は、図１０に示す表示にかえて、または加えて、サムネイル画像２５０、３５０、４５０の元であるレイアウト画像２２０、３２０、４２０に割り付けることができる割付画像の最大数およびレイアウト作成部５０により割り付けられた割付画像の数である割付画像数をサムネイル画像２５０、３５０、４５０に対応付けて表示する。
【００７５】
具体的には、上記同様、レイアウト作成部５０は、レイアウト枠と割付画像とからレイアウト画像２２０、３２０、４２０を作成した場合、または、レイアウト画像２２０、３２０、４２０を変更した場合に、レイアウト枠に割り付けることができる割付画像の最大数、および、割り付けた割付画像の数である割付画像数を当該レイアウト画像２２０、３２０、４２０に対応付けて記憶する。そしてレイアウト作成部５０は、レイアウト画像２２０、３２０、４２０からサムネイル画像２５０、３５０、４５０を作成し、作成したサムネイル画像２５０等およびレイアウトＩＤに加えて、記憶している最大数および割付画像数をサムネイル画像表示部７０へ供給する。
【００７６】
サムネイル画像表示部７０は、レイアウト作成部５０から供給された最大数および割付画像数を供給されたサムネイル画像２５０等に対応付けて記憶する。そしてサムネイル画像表示部７０は、例えば図１２に示すように、マウス１８の操作により移動する矢印５００がサムネイル画像４５０の上に表された場合に、矢印５００の近傍に最大数および割付画像数を表示する。なお、サムネイル画像表示部７０は、サムネイル画像２５０等の元であるレイアウト画像２２０等に割り付けられる割付画像よりも大きく最大数および割付画像数を表示することが好ましい。これにより、サムネイル領域１０４に表示されたサムネイル画像２５０等の元であるレイアウト画像２２０等に追加できる割付画像の数を一見して確認することができる。なお、サムネイル画像表示部７０は、最大数および割付画像数にかえて、最大数から割付画像数を減じた数である残数をサムネイル画像２５０等に対応付けて表示してもよい。
【００７７】
以上、本実施形態によれば、いずれのモードでレイアウト画像を作成したかを、サムネイル画像で確認することができる。よって、レイアウト画像に対して適用できる編集の種類がモード毎に異なる場合に、サムネイル領域に表示されている各レイアウト画像に対して適用できる編集の種類をユーザに認識させることができる。例えば、サムネイル画像を選択して、レイアウトの再割付を行うときに適用できる編集の種類をユーザに知らせることができる。
【００７８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００７９】
【図１】画像処理装置１０の一例を示す。
【図２】本体１２のブロック図の一例を示す。
【図３】ディスプレイ１４の表示の一例を模式的に示す。
【図４】ディスプレイ１４の表示の一例を模式的に示す。
【図５】ディスプレイ１４の表示の一例を模式的に示す。
【図６】格納部８０に格納される情報を示す。
【図７】画像処理装置１０の動作の一例をフローチャートで示す。
【図８】ディスプレイ１４の表示の一例を模式的に示す。
【図９】ディスプレイ１４の表示の一例を模式的に示す。
【図１０】ディスプレイ１４の表示の一例を模式的に示す。
【図１１】ディスプレイ１４の表示の一例を模式的に示す。
【図１２】ディスプレイ１４の表示の他の一例を模式的に示す。
【符号の説明】
【００８０】
１０  画像処理装置、１２  本体、１４  ディスプレイ、１６  キーボード、１８  マウス、２０  デジタルカメラ、２２  スキャナ、２４  プリンタ、３０  記憶媒体、５０  レイアウト作成部、６０  プレビュー表示部、７０  サムネイル画像表示部、８０  格納部、１００  処理画面、１０２  割付画像表示領域、１０４  サムネイル領域、２００  プレビュー領域、２０２  「エリアサイズ」プルダウンメニュー、２０４  「テンプレート」プルダウンメニュー、２２０  レイアウト画像、２２２  タブ、２２４  モード識別情報、２５０  サムネイル画像、２５４  モード識別情報、２５６  枠、２５８  割付識別情報、３００  プレビュー領域、３０２  「エリアサイズ」プルダウンメニュー、３０６  「フレーム数」入力エリア、３２０  レイアウト画像、３２２  タブ、３２４  モード識別情報、３５０  サムネイル画像、３５４  モード識別情報、３５６  枠、３５８  割付識別情報、４００  プレビュー領域、４０２  「エリアサイズ」プルダウンメニュー、４０８  「フレームサイズ」入力エリア、４２０  レイアウト画像、４２２  タブ、４２４  モード識別情報、４５０  サムネイル画像、４５４  モード識別情報、４５６  枠、４５８  割付識別情報、５００  矢印
【図１】
0004687550.tif 000002
【図２】
0004687550.tif 000003
【図３】
0004687550.tif 000004
【図４】
0004687550.tif 000005
【図５】
0004687550.tif 000006
【図６】
0004687550.tif 000007
【図７】
0004687550.tif 000008
【図８】
0004687550.tif 000009
【図９】
0004687550.tif 000010
【図１０】
0004687550.tif 000011
【図１１】
0004687550.tif 000012
【図１２】
0004687550.tif 000013